(57)【要約】【課題】  スケジュール機能、アラーム機能、カレンダー機能の入力方法を簡素化する。【解決手段】  本発明の携帯電話では、入力手段としてのキー操作部１８を用いて日付を入力してから、カレンダー機能を呼び出すことができる。従って、使用者が意図する月のカレンダーの表示を容易にすることができる。更に、使用者が意図する日が暫定的に選択された状態で、カレンダーが表示される。また、呼び出す月の指定は、２桁、４桁または８桁の数字の入力により行うことが可能であり、使用者が意図する月の指定を容易且つ的確に行うことができる。【選択図】    図３
2005037359.tif 000002
【特許請求の範囲】
【請求項１】
入力手段と、表示手段と、制御手段とを有し、
前記制御手段は、カレンダ一の表示指示に応答し、前記入力手段により入力された数字データを年月日データに変換すると共に、当該年月日デ一タに基づく日付が含まれるカレンダーを前記表示手段に表示させることを特徴とする電子機器。
【請求項２】
前記制御手段は、前記入力手段により入力された数字データが２桁の数字であるとき、前記数字データの入力時点での年月データに基づいて前記数字データを年月日データに変換することを特徴とする請求項1記載の電子機器。
【請求項３】
前記制御手段は、前記入力手段により入力された数字データが４桁の数字であるとき、前記数字データの入力時点での年データに基づいて前記数字データを年月日データに変換することを特徴とする請求項1記載の電子機器。
【請求項４】
前記制御手段は、カレンダー表示状態におけるスケジュール登録指示に応答し、カレンダー上において選択されている日付に対してスケジュール登録を行うと共に、当該スケジュールに対応するアイコンを、カレンダー上において選択されている日付に関連付けて表示させることを特徴とする請求項１記載の電子機器。
【請求項５】
入力手段と、表示手段と、制御手段とを有し、
前記制御手段は、前記表示手段にカレンダーを表示しているとき、スケジュール登録指示に応答し、カレンダー上において選択されている日付に対してスケジュール登録を行うと共に、当該スケジュールに対応するアイコンを、カレンダー上において選択されている日付に関連付けて表示させることを特徴とする電子機器。
【請求項６】
前記制御手段は、前記スケジュール登録指示に応答し、前記表示手段に分類を示す項目を表示させると共に、選択された項目の分類をスケジュールに取り込むことを特徴とする請求項４または請求項５記載の電子機器。
【請求項７】
前記制御手段は、前記アイコンと前記分類とを対応させて登録し、カレンダー上において選択されている日付に関連付けて表示させるアイコンとして、当該日付に対して登録されたスケジュールに含まれる分類に対応するアイコンを表示させることを特徴とする請求項６記載の電子機器。
【請求項８】
入力手段と、報知手段と、制御手段とを有し、
前記制御手段は、アラームの登録指示に応答し、前記入力手段により入力された数字データを時刻データに変換すると共に、当該時刻データをアラーム時刻として設定し、
前記報知手段は、前記アラーム時刻において報知を行うことを特徴とする電子機器。
【請求項９】
前記制御手段は、前記入力手段により入力された数字データが２桁の数字であるとき、前記数字データの入力時点での時刻データに基づいて前記数字データを時刻データに変換することを特徴とする請求項８記載の電子機器。
【請求項１０】
前記制御手段は、前記数字データの入力時点で最も近い将来の日にちに対して、前記アラーム時刻の設定を行うことを特徴とする請求項８記載の電子機器。
【請求項１１】
入力手段と、表示手段と、制御手段とを有し、
前記制御手段は、前記表示手段に時間に関連する情報を含むアプリケーションデータを表示しているとき、スケジュール登録指示に応答し、前記アプリケーションデータから時間に関連する情報を抽出すると共に、当該抽出情報を、登録を行うスケジュ一ルに取り込むことを特徴とする電子機器。
【請求項１２】
前記アプリケーションデータとして、送信したメールのデータ、受信したメールのデータ、電話機能の発信履歴データ、電話機能の着信履歴データ、または、撮影した画像データを含むことを特徴とする請求項１１記載の電子機器。
【請求項１３】
前記スケジュール登録指示は、使用者の前記入力手段の操作により行うことを特徴とする請求項１１記載の電子機器。
【請求項１４】
前記アプリケーションデータは受信したメールのデータであり、
前記スケジュール登録指示は、メールを受信することにより行うことを特徴とする請求項１１記載の電子機器。
【請求項１５】
更に、記憶手段と、比較手段とを有し、
前記記憶手段は、前記アプリケーションデータと比較される語句を記憶し、
前記比較手段は、前記語句と前記アプリケーションデータに含まれる文字とを比較し、
前記アプリケーションデータに含まれる文字と前記語句とが一致するときは、前記スケジュール登録指示が起動することを特徴とする請求項１１記載の電子機器。
【請求項１６】
前記記憶手段は、前記語句と関連づけて設定情報を記憶し、
前記アプリケーションデータに含まれる文字と前記語句とが一致するときは、登録を行う前記スケジュールに、前記設定情報を付加することを特徴とする請求項１５記載の電子機器。
【請求項１７】
前記比較手段は、優先順位が設けられた前記アプリケーションデータの項目毎に前記語句との比較を行い、
前記比較手段により複数個の前記語句が前記項目と一致したときは、
前記優先順位が高い方の前記項目を一致した前記語句を優先させることを特徴とする請求項１６記載の電子機器。
【請求項１８】
前記項目は、当該メールの送信元のアドレス、当該メールの題目、または、本文であることを特徴とする請求項１７記載の電子機器。
【発明の詳細な説明】
【技術分野】
【０００１】
本発明は、カレンダー機能、スケジュール機能またはアラーム機能を備えた電子機器に関するものである。
【背景技術】
【０００２】
近年、電子機器は小型化、高機能化が進んでいる。例えば、携帯電話機では、画面が大型化し、大量の文字情報や画像を表示出来るようになっている。
【０００３】
すなわち、電子機器において表示画面が大型化し、多くの情報を表示出来るようになると共に、カラー化により画像の表示においても充分実用となるに従い、単なる文字の表示だけでなく、文字と画像を表示することが要望されている。
【０００４】
一方、最近の携帯電話機の中には、撮像レンズおよび入力光を電気信号に変換する撮像素子を備えるカメラが搭載されたいわゆるカメラ付携帯電話機があり、このカメラ付携帯電話機では、記憶容量、画像表示サイズ、カメラの解像度および処理能力が向上している。
【０００５】
更に、最近の携帯電話は、カレンダー機能、アラーム機能またはスケジュール機能を有する（例えば、特許文献１から特許文献３を参照）。これらの機能は、上記画像機能に加えて、使用者にとって非常に重要になってきている。
【特許文献１】特開２００２−１８６０３８号公報
【特許文献２】特開平９−２３３２２９号公報
【特許文献３】特開２００２−１１８６３７号公報
【発明の開示】
【発明が解決しようとする課題】
【０００６】
しかしながら、上記した、カレンダー機能、アラーム機能およびスケジュール機能を使用するには、使用者にとって有益でない情報まで入力する必要があり、その入力が煩雑である問題があった。
【０００７】
本発明は、上記した問題点を鑑みて成され、本発明の主な目的は、カレンダー機能、アラーム機能およびスケジュール機能の入力を簡素化した電子機器を提供することである。
【課題を解決するための手段】
【０００８】
本発明は、入力手段と、表示手段と、制御手段とを有し、前記制御手段は、カレンダ一の表示指示に応答し、前記入力手段により入力された数字データを年月日データに変換すると共に、当該年月日デ一タに基づく日付が含まれるカレンダーを前記表示手段に表示させることを特徴とする。従って、使用者が意図する月のカレンダーを直ちに表示させることができる。
【０００９】
更に本発明は、前記制御手段は、前記入力手段により入力された数字データが２桁の数字であるとき、前記数字データの入力時点での年月データに基づいて前記数字データを年月日データに変換することを特徴とする。従って、使用者は、日を示す２桁の数字を入力したのみで、所望のカレンダーを表示させることができる。
【００１０】
更に本発明は、前記制御手段は、前記入力手段により入力された数字データが４桁の数字であるとき、前記数字データの入力時点での年データに基づいて前記数字データを年月日データに変換することを特徴とする。従って、使用者は、表示するカレンダーの月と、数字データを入力時点での月とが異なった場合でも、月日を示す４桁の数字を入力するのみで、所望のカレンダーを表示させることができる。
【００１１】
更に本発明は、前記制御手段は、カレンダー表示状態におけるスケジュール登録指示に応答し、カレンダー上において選択されている日付に対してスケジュール登録を行うと共に、当該スケジュールに対応するアイコンを、カレンダー上において選択されている日付に関連付けて表示させることを特徴とする。従って、使用者は、このアイコンを確認することで、スケジュールの内容を連想することができる。
【００１２】
更に本発明は、入力手段と、表示手段と、制御手段とを有し、前記制御手段は、前記表示手段にカレンダーを表示しているとき、スケジュール登録指示に応答し、カレンダー上において選択されている日付に対してスケジュール登録を行うと共に、当該スケジュールに対応するアイコンを、カレンダー上において選択されている日付に関連付けて表示させることを特徴とする。従って、使用者は、このアイコンを確認することで、スケジュールの内容を連想することができる。
【００１３】
更に本発明は、前記制御手段は、前記スケジュール登録指示に応答し、前記表示手段に分類を示す項目を表示させると共に、選択された項目の分類をスケジュールに取り込むことを特徴とする。従って、スケジュールの入力に掛かる手間を大幅に簡易にすることができる。
【００１４】
更に本発明は、前記制御手段は、前記アイコンと前記分類とを対応させて登録し、カレンダー上において選択されている日付に関連付けて表示させるアイコンとして、当該日付に対して登録されたスケジュールに含まれる分類に対応するアイコンを表示させることを特徴とする。従って、使用者は、上記アイコンを目視することにより、分類の項目を確認することができる。
【００１５】
更に本発明は、入力手段と、報知手段と、制御手段とを有し、前記制御手段は、アラームの登録指示に応答し、前記入力手段により入力された数字データを時刻データに変換すると共に、当該時刻データをアラーム時刻として設定し、前記報知手段は、前記アラーム時刻において報知を行うことを特徴とする。従って、アラーム時刻設定を容易に行うことができる。
【００１６】
更に本発明は、前記制御手段は、前記入力手段により入力された数字データが２桁の数字であるとき、前記数字データの入力時点での時刻データに基づいて前記数字データを時刻データに変換することを特徴とする。従って、使用者は、「分」を示す２桁の数字を入力するのみで、アラーム時刻の設定を行うことができる。
【００１７】
更に本発明は、前記制御手段は、前記数字データの入力時点で最も近い将来の日にちに対して、前記アラーム時刻の設定を行うことを特徴とする。従って、日にちを指定する為の入力に掛かる手間を省いて、アラーム時刻の設定を行うことができる。
【００１８】
更に本発明は、入力手段と、表示手段と、制御手段とを有し、前記制御手段は、前記表示手段に時間に関連する情報を含むアプリケーションデータを表示しているとき、スケジュール登録指示に応答し、前記アプリケーションデータから時間に関連する情報を抽出すると共に、当該抽出情報を登録を行うスケジュ一ルに取り込むことを特徴とする。従って、前記アプリケーションデータから、スケジュールに時間に関する情報を取り込むことができる。
【００１９】
更に本発明は、前記アプリケーションデータとして、送信したメールのデータ、受信したメールのデータ、電話機能の発信履歴データ、電話機能の着信履歴データ、または、撮影した画像データを含むことを特徴とする。従って、様々なアプリケーションデータから、スケジュールに時間に関する情報を取り込むことができる。
【００２０】
更に本発明は、前記スケジュール登録指示は、使用者の前記入力手段の操作により行うことを特徴とする。従って、使用者の要求に応じた動作を実現することが出来る。
【００２１】
更に本発明は、前記アプリケーションデータは受信したメールのデータであり、前記スケジュール登録指示は、メールを受信することにより行うことを特徴とする。従って、使用者の操作を省力化することができる。
【００２２】
本発明は、更に、記憶手段と、比較手段とを有し、前記記憶手段は、前記アプリケーションデータと比較される語句を記憶し、前記比較手段は、前記語句と前記アプリケーションデータに含まれる文字とを比較し、前記アプリケーションデータに含まれる文字と前記語句とが一致するときは、前記スケジュール登録指示が起動することを特徴とする。従って、予め決められた語句が含まれるときに、スケジュール登録指示を起動させることが出来る。
【００２３】
更に本発明は、前記記憶手段は、前記語句と関連づけて設定情報を記憶し、前記アプリケーションデータに含まれる文字と前記語句とが一致するときは、登録を行う前記スケジュールに、前記設定情報を付加することを特徴とする。従って、登録を行う付加情報も自動的に設定することが出来る。
【００２４】
更に本発明は、前記比較手段は、優先順位が設けられた前記アプリケーションデータの項目毎に前記語句との比較を行い、前記比較手段により複数個の前記語句が前記項目と一致したときは、前記優先順位が高い方の前記項目を一致した前記語句を優先させることを特徴とする。従って、使用者が重要と認める項目を優先させて、スケジュール登録を行うことが出来る。
【００２５】
更に本発明は、前記項目は、当該メールの送信元のアドレス、当該メールの題目、または、本文であることを特徴とする。従って、受信したメールの項目毎に語句との比較をおこなうことが出来る。
【発明の効果】
【００２６】
本発明では、時間を示す数字データを入力手段により入力してから、カレンダー機能を呼び出すことができる。従って、使用者が意図する月のカレンダーの表示を容易にすることができる。また、呼び出す月の指定は、２桁、４桁または８桁の数字の入力により行うことが可能であり、使用者が意図する月の指定を容易且つ的確に行うことができる。更に、カレンダーが表示された状態で、入力された日に対応するカレンダーの日は暫定的に選択されている。従って、使用者は次の作業を容易に行うことができる。
【００２７】
更に本発明では、時間を示す数字を入力手段により入力してから、アラーム機能を呼び出すことができる。また、時間を示す４桁の数字を入力して、最も近い将来の前記時間に対して、アラームを設定することも可能である。従って、アラーム設定を容易に行うことができる。
【００２８】
更に、本発明では、メール機能、着信または発信履歴の機能、または、画像機能に関連する情報を、スケジュール機能に取り込むことができる。従って、スケジュールの登録を容易且つ正確にすることができる。
【００２９】
更に、本発明では、受信したメールの解析を自動的に行い、そのメールが所定の語句を含んでいるときは、自動的にスケジュールの登録を行うことが出来る。従って、使用者の入力作業を省力化して、スケジュール登録を行うことが可能となる。
【発明を実施するための最良の形態】
【００３０】
以下に、本発明における一実施の形態について、図面を参照にして詳細に説明する。本発明は、任意の電子機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。
【００３１】
先ず、図１は本発明の一実施の形態である携帯電話機の（Ａ）開いた状態での内側（キー面）から見た概観図、（Ｂ）閉じた状態での外側、（Ｃ）閉じた状態での外側から見た概観図であり、図２は同携帯電話機の電気的構成を説明する概略機能ブロック図である。
【００３２】
図１に示す如く、例えば、スピーカ２は携帯電話機１の蓋部内側の上方中央に、マイク３は本体部内側の下方中央にそれぞれ配置されている。また、入力手段としてのキー操作部１８は、例えば、各種機能の決定や選択を行う決定キー１８Ａ、カメラモードを起動させるカメラキー１８Ｂ、電源投入するための電源キー１８Ｃ、各種機能や画像の選択を上下および左右方向に行える十字キー１８Ｄ、メールモードを起動させるメールキー１８Ｅ、数字や文字の入力に主に用いられる数字・文字キー１８Ｆ等から構成されている。
【００３３】
そして、表示手段としての表示部１７は、スピーカ２が配置されている蓋部内側に四角形状で配置されており、第２表示部４は四角い形状で蓋部外側の中央付近に配置されている。更に、撮像部１２は、蓋部外側のヒンジ近くの中央付近に配置され、閉じた状態でも第２表示部４で被写体を確認しながら撮影ができる。また、背面キー４は第２表示部４の下方に配され、閉じた状態でシャッタキーとして使用され、使用者が自らを撮影するのに適している。開いた状態で撮影する場合は、第１表示部１７あるいは第２表示部４で被写体を確認しながら、キー操作部１８のシャッタキーを押下することで撮影することができる。
【００３４】
図１（Ｃ）を参照して、キー操作部１８が形成された面の裏面には、スピーカー１３が備えられている。このスピーカ−１３は、通話やメールを受信した際に、受信を示す音声を発生させる。
【００３５】
図２を参照して、本発明の電子機器である携帯電話の電気的構成を説明する。本実施の形態の携帯電話機１は、主に、制御部１１、撮像部１２、画像処理部１３、メモリ１４、表示ドライバ部１６、表示部１７、バックライト２０、キー操作部１８、アンテナ２２、無線部２３、通信制御部２４、スピーカー１３、バイブレータ９を備えている。
【００３６】
制御手段としての制御部１１は、携帯電話機１を構成する各部位の動作を制御し、例えば、画像処理部１３、表示部１７、バックライト２０等を制御する。撮像部１２は、撮像レンズと、ＣＣＤ（Charge Coupled Device）イメージセンサあるいはＣＭＯＳ（Complementary Metal Oxide Semiconductor）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。更にまた、制御部１１は、バイブレータ９およびスピーカー１３の動作を制御している。
【００３７】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データをメモリ１４に送る。
【００３８】
記憶手段としてのメモリ１４は、登録データが格納されている。この登録データは、名称とこの名称に関連付けられた情報から成り、具体的には、電話番号、住所、画像、メールアドレス等から構成されている。また、メモリ１４は、信号処理部から送られてくる画像データを記憶している。更にまた、メモリ１４は、情報格納用の第1のメモリと、一時的にメモリが格納される第２のメモリとから構成されても良い。例えば、第２のメモリでは、時間的に古い画像データは消去する、あるいは最も新しい画像データを上書きすることで一時的に画像データを記憶する。
【００３９】
制御部１１は、表示ドライバ部１６に制御信号を送信するとともに、メモリ１４に記憶された画像データを、表示ドライバ部１６に送る。表示ドライバ部１６は、表示部１７に表示しようとする画像データに従って、表示部１７の各画素電極に対して駆動電圧を印加する。表示部１７は、液晶ディスプレイおよびＥＬ（Electro Luminescence）ディスプレイなどで実現され、表示ドライバ部１６を介して送られてくる画像データに基づく画像を表示する。
【００４０】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００４１】
入力手段としてのキー操作部１８は、数字および文字を入力するための数字・文字キー１８Ｆキーなどから構成される。数字・文字キー１８Ｆは、３×４に配置されて、使用者の入力が容易なように等間隔にマトリックス状に配置されている。
【００４２】
十字キー１８Ｄは、ポインティングデバイスとして機能し、パーソナルコンピュータのマウスあるいはパッドに相当する機能を有する。従って、十字キー１８Ｄを用いることにより、機能あるいは画像等の選択を直感的に行うことができる。また、十字キー１８Ｄの代替として、突起状あるいはダイヤル型のキーを、ポインティングデバイスとして備える携帯電話も、本発明の範囲である。
【００４３】
アンテナ２２は、無線電波を介して基地局と無線通信を行うときに、音声データ、文字データおよび画像データなどを送受信する。無線部２３は、受信時は、基地局からアンテナ２２を介して受信したデータを復調し、送信時は、通信制御部２４から送られてくる文字データおよび画像データなどを変調して増幅し、アンテナ２２を介して基地局に送信する。通信制御部２４は、無線部２３が復調した文字データおよび画像データなどの受信データを所定の通信プロトコルに基づいて制御部１１に送る。無線部２３、通信制御部２４を介して受信した相手先からの受信データは、メモリ１４に記憶される。また、上記したアンテナ２２、無線部２３および通信制御部２４は、本発明では受信手段として機能する。従って、使用者の操作により、あるいは、定期的に且つ自動に、メールサーバーとの電子メールのやり取りを、受信手段により行うことができる。
【００４４】
次に、図３以降を参照して、上記した携帯電話の動作を説明する。
【００４５】
図３から図６を参照して、数字入力を伴う携帯電話の動作を説明する。図３および図４は、本発明の携帯電話の動作を示すフローチャートである。図５および図６は、当該フローチャートの各ステップに於ける表示部１７の表示状態を示す図である。
【００４６】
図３を参照して、ステップＳ１では、数字・文字キー１８Ｆを用いて数字の入力を行う。ここで、音声による入力を行っても良い。また、数字の入力を行う前では、表示部１７は待ち受けの状態に成っており、この状態を図５（Ｃ）に示している。
【００４７】
ステップＳ２では、ステップＳ１にて入力された数字が表示部１７に表示される。１例として、図５（Ｂ）では２桁の数字「１９」が表示されており、図５（Ｄ）では８桁の数字「２００３０５１９」が表示されており、図５（Ｆ）では４桁の数字「０５１９」が表示されている。更に、表示部１７の下方に所望の機能とリンクされた機能アイコン２０が複数個表示される。具体的には、電卓機能、スケジュール機能であるＰＩＭ（Personal Information Manager）、および、メニューの機能とリンクされた機能アイコン２０が表示されている。
【００４８】
ステップＳ３では、電卓機能の選択を行うか否かの判断を行う。電卓機能が選択された場合は（ステップＳ３のＹＥＳ）、電卓機能を実行するステップＳ１６に移行し、ＥＮＤに至る。電卓機能が選択されなかった場合は（ステップＳ３のＮＯ）、Ｓ４に移行する。
【００４９】
ステップＳ４では、スケジュール機能であるＰＩＭが選択されたか否かの判断を行う。ＰＩＭが選択された場合（ステップＳ４のＹＥＳ）は、Ａに移行する。この状態を図５（Ｅ）に示している。入力された数字データにて指定された月のカレンダーが表示部１７に表示され、指定された日にフォーカスが当てられ、暫定的に選択されている。Ａに移行した後のステップの詳細は、図４および図６を参照して説明する。
【００５０】
ステップＳ５では、メニュー機能が選択されたか否かの判断を行う。メニュー機能が選択された場合（ステップＳ５のＹＥＳ）は、ステップＳ６に移行する。メニューが選択されなかった場合（ステップＳ５のＮＯ）は、使用者が何も選択しなかったことになるので、ステップＳ１に移行する。
【００５１】
ステップＳ６では、表示部１７にサブメニューの表示を行う。この状態を図５（Ａ）に示す。ここでは、電話帳登録、発信、１８４発信、１８６発信、国際電話選択、タイマー開始、および、クイックアラームの項目がサブメニューのダイアログに表示されている。そして、個々の項目の先端には、1)から7)の数字が表示されている。ここで、入力された数字が４桁の数字の時のみに、「クイックアラーム」の選択を可能にしても良い。即ち、入力された数字が４桁の数字の時以外は、クイックアラームの項目をグレーアウトするようにしても良い。
【００５２】
ステップＳ７では、サブメニューのダイアログに表示された項目から１つを選択する。この選択は、上記した1)から7)の数字を選択することにより機能の選択を行うことができる。具体的には、数字・文字キー１８Ｆ、または、十字キー１８Ｄによりこの選択を行うことができる。
【００５３】
ステップＳ８では、クイックアラーム機能を選択したか否かの判断を行う。クイックアラーム機能を選択した場合（ステップＳ８のＹＥＳ）は、ステップＳ９に移行する。クイックアラーム以外の機構を選択した場合（ステップＳ８のＮＯ）は、選択した機能を実行する。
【００５４】
ステップＳ９では、数字データを時刻データに置換する。入力された数字データが４桁の数字データ「０５１９」であった場合は、最も近い将来の５時１９分の時刻データに変換される。具体的には、２００３年５月１２日の４時に、４桁の数字データ「０５１９」を時刻データに変換する場合は、２００３年５月１２日の５時１９分に対応する時刻データに変換される。そして、２００３年５月１２日の５時１９分から２００３年５月１３日の５時１８分の間に、４桁の数字データ「０５１９」を時刻データに変換する場合は、２００３年５月１３日の５時１９分に対応する時刻データに変換される。ここでは、入力された数字データの上２桁を時、下２桁を分として置換するが、上２桁が「２４」以上または下２桁が「６０」以上のときに置換不可と判断する。
【００５５】
また、入力された数字データが２桁の数字データ「１９」であった場合は、最も近い将来の１９分に対応する時刻データに変換される。具体的には、２００３年５月１２日の４時１９分から２００３年５月１２日の５時１８分の間に、２桁の数字データ「１９」を時刻データに変換する場合は、２００３年５月１２日の５時１９分に対応する時刻データに変換される。ここでは、入力された２桁の数字データを分として置換するが、その数字データが「６０」以上のときに置換不可と判断する。
【００５６】
ステップＳ１０では、上記置換が成功したか否かの判断を行う。上記置換に成功しなかった場合（ステップＳ１０のＮＯ）は、ステップＳ１７に移行する。上記置換に成功した場合（ステップＳ１０のＹＥＳ）は、ステップＳ１１に移行する。
【００５７】
ステップＳ１７では、上記置換に失敗した旨のエラー表示を表示部１７に行う。次に、ステップＳ１８に移行して所定時間経過したか否かの判断を行う。所定時間が経過した場合（ステップＳ１８のＹＥＳ）は、ＥＮＤに至る。そして、所定時間が経過していない場合（ステップＳ１８のＮＯ）は、直前のステップであるステップＳ１７に移行する。即ち、ステップＳ１７およびステップＳ１８にて、所定の時間の間、エラーメッセージの表示を行う。
【００５８】
ステップＳ１１では、図５（Ｈ）を参照して、表示部１７に新規登録の画面を表示する。具体的には、スケジュール登録するか否かの判断を使用者に求める旨のメッセージが、新規登録のダイアログに表示される。また、表示部１７の下部には、機能アイコン２０が表示されている。
【００５９】
ステップＳ１２では、「戻る」を示す機能アイコン２０が選択されたか否かの判断を行う。「戻る」を示す機能アイコン２０が選択された場合（ステップＳ１２のＹＥＳ）は、ステップＳ１に移行する。そして、「戻る」を示す機能アイコン２０が選択されない場合（ステップＳ１２のＮＯ）は、ステップＳ１３に移行する。
【００６０】
ステップＳ１３では、「いいえ」が選択されたか否かの判断を行う。ここで、「いいえ」とは、図５（Ｈ）を参照して、スケジュールの新規登録を行うダイアログの内部に表示された機能アイコンである。「いいえ」が選択された場合（ステップＳ１３のＹＥＳ）は、ＥＮＤに移行する。「いいえ」が選択されなかった場合（ステップＳ１３のＮＯ）は、ステップＳ１４に移行する。
【００６１】
ステップＳ１４では、「はい」を選択したか否かの判断を行う。ここで、「はい」とは、図５（Ｈ）を参照して、スケジュールの新規登録を行うダイアログの内部に表示された機能アイコンである。「はい」が選択された場合（ステップＳ１４のＹＥＳ）は、Ｓ１５に移行する。「はい」が選択されなかった場合（ステップＳ１４のＮＯ）は、Ｓ１１に移行する。即ち、スケジュールの新規登録を行うダイアログの内部に表示された機能アイコンの「はい」または「いいえ」のいずれかが選択されるまで、スケジュールの新規登録を行うダイアログが連続して表示部１７に表示されても良い。
【００６２】
ステップＳ１５では、スケジュールの登録を行う。即ち、日時データとして「登録時点の年月日と置換された時刻を」、分類として「予定」を、アラームとして「ＯＮ」を、画像として「無し」を、シークレットとして「ＯＦＦ」を、内容として「クイックアラーム」を設定したものをスケジュール登録する。このステップが終了したらＥＮＤに至る。即ち、表示部１７には待ち受け画面が表示され、この状態を図５（Ｉ）に示している。
【００６３】
次に図４および図６を参照して、上記ステップＳ４にてＹＥＳを選択した後の、携帯電話の動作を説明する。即ち、数字の入力を行った後に、スケジュール機能であるＰＩＭ機能を選択した場合の携帯電話の動作を説明する。
【００６４】
ステップＳ２０では、入力された数字データが２桁であるか否かの判断を行う。入力された数字データが２桁である場合（ステップＳ２０のＹＥＳ）は、ステップＳ３１に移行し、年月データに対応するデータを加算する。ここで、年月データとは、使用者が２桁の数字を入力した時点での年月に対応するデータを加算する。例えば、２００３年５月に於いて、使用者が２桁の数字「１９」の入力を行った場合は、２００３年５月１９日に対応する数字データが生成される。この後は、ステップＳ３３に移行する。また、入力された数字が２桁の数字でない場合（ステップＳ２０のＮＯ）は、ステップＳ２１に移行する。
【００６５】
ステップＳ２１では、入力された数字データが４桁であるか否かの判断を行う。入力された数字データが４桁である場合（ステップＳ２１のＹＥＳ）は、ステップＳ３２に移行し、年データに対応するデータを加算する。例えば、２００３年に於いて、使用者が２桁の数字「０５１９」の入力を行った場合は、２００３年５月１９日に対応する数字データが生成される。この後は、ステップＳ３３に移行する。また、入力された数字が２桁の数字でない場合（ステップＳ２１のＮＯ）は、ステップＳ２２に移行する。
【００６６】
ステップＳ２２では、入力された数字が８桁の数字であるか否かの判断を行う。入力された数字が８桁の数字である場合（ステップＳ２２のＹＥＳ）は、その８桁の数字が年月日を示しているので、ステップＳ３３に移行する。入力された数字が８桁の数字でない場合（ステップＳ２２のＮＯ）は、入力された数字の桁数が不正であるので、ステップＳ２３に移行する。
【００６７】
ステップＳ２３では、入力された数字が不正である旨のメッセージを表示部１７に表示して、ステップＳ２４に移行する。そして、ステップＳ２４では、所定時間が経過したか否かの判断を行い、所定時間が経過していない場合（ステップＳ２４のＮＯ）は、ステップＳ２３に戻る。所定時間が経過した場合（ステップＳ２４のＹＥＳ）は、ＥＮＤに至る。従って、所定時間の間、エラーメッセージが表示される。
【００６８】
ステップＳ３３では、数字データを年月日データに置換する。即ち、ステップＳ３３までのステップで生成された年月日を示す８桁の数字データを年月日データに置換する。最初の４桁を西暦の年データに置換し、次の２桁を月データに置換し、最後の２桁を日データに置換する。そしてステップＳ３４に移行する。
【００６９】
このステップでは、入力数字の上４桁を年、次の２桁を月、下２桁を日として置換するが、次のような場合に於いては置換不可と判断する。
・上１桁が「２」以外の場合。
・上から５および６桁目が「１３」以上、または、下２桁が「３１」以上の場合。
・下４桁が「０２２９」、「０２３０」、「０２３１」、「０４３１」、「０６３１」、「０９３１」、「１１３１」の場合。但し、上４桁が「２０００＋（４の倍数）」の時の「０２２９」に付いては置換可能と判断する。
【００７０】
ステップＳ３４では、ステップＳ３３での置換が成功したか否かの判断を行う。具体的には、月に対応する桁の数字データが１３以上の数字である場合や、日に対応する桁の数字データが３２以上の数字である場合等に、ステップＳ３３での置換が成功しない。そして、置換が成功した場合（ステップＳ３４のＹＥＳ）は、ステップＳ３５に移行する。また置換が成功しなかった場合（ステップＳ３４のＮＯ）は、エラーの表示を行うステップＳ２３に移行する。
【００７１】
ステップＳ３５では、表示部１７にカレンダーの表示を行う。例えば、図６（Ｂ）に示すように、２００３年に於いて、４桁の数字「０５１２」を入力してから「ＰＩＭ」を選択した場合は、図６（Ｃ）に示すように、２００３年５月のカレンダーが表示部１７に表示され、その月の１９日が暫定的に選択されフォーカスされている。そして、図６（Ｄ）に示すように、８桁の数字「２００３０５１９」を入力して「ＰＩＭ」を選択した場合は、図６（Ｅ）に示すように、その数字に対応する年月である２００３年５月のカレンダーが表示され、その数字データに対応する日である１９日がフォーカスされている。また、図６（Ｃ）の状態で、十字キー１８Ｄ等を操作して下方向を指定することにより、フォーカスの位置を、１２日から１９日に移動させることができる。また、表示部１７の下部に３つの機能アイコン２０が表示され、各々が、アイコンを登録する機能、その日の詳細を表示させる機能、および、メニューを表示させる機能とリンクされている。
【００７２】
ステップＳ３６では、「表示」機能とリンクされた機能アイコン２０を選択したか否かの判断を行う。「表示」機能が選択された場合（ステップＳ３６のＹＥＳ）は、ステップＳ２５に移行する。そして、「表示」機能が選択されなかった場合（ステップＳ３６のＮＯ）は、ステップＳ３７に移行する。
【００７３】
ステップＳ３７では、「アイコン」機能とリンクされた機能アイコン２０を選択したか否かの判断を行う。「アイコン」機能が選択された場合（ステップＳ３７のＹＥＳ）は、ステップＳ３８に移行する。そして、「アイコン」機能が選択されなかった場合（ステップＳ３７のＮＯ）は、ステップＳ３５に移行する。
【００７４】
ステップＳ３８では、図６（Ｇ）を参照して、アイコンの分類選択を行う画面を表示させる。ここでは、分類の項目を表示させるためのダイアログが表示部１７に表示され、分類を示す８個の項目が表示されている。具体的には、分類を示す項目である、1)予定、2)プライベート、3)休日、4)旅行、5)仕事、6)会議、7)食事、および、8)ドライブ等が表示されている。
【００７５】
ステップＳ３９では、上記した項目の中から１つの項目を選択する。ここでは、一例として、2)プライベートの項目を選択している。そして、ステップＳ４０に移行する。
【００７６】
ステップＳ４０では、スケジュールへの登録を行う。そしてステップＳ３５に戻って、カレンダー表示に移行する。図６（Ｈ）を参照して、アイコンの登録を行った５月１９日の欄には、ハートマークが表示されている。使用者は、このハートマークとプライベートの項目が対応していることを記憶することにより、この日にプライベートな事項が発生すること、または、発生したことを簡易に記録することができる。この場合に於いては、日時データとして「登録時点の年月日」を、分類として「選択された分類」を、アラームとして「ＯＦＦ」を、画像として「無し」を、シークレットとして「ＯＦＦ」を、内容として「未入力」をスケジュール登録する。
【００７７】
ステップＳ２５では、図６（Ｆ）を参照して、スケジュールの一覧表を表示させる。ここでは、フォーカスされていた２００３年５月１２日のスケジュールの一覧表が表示部１７に表示される。ここでは、この日に登録された１件のスケジュールが表示されている。そしてステップＳ２６に移行する。
【００７８】
ステップＳ２６では、表示機能とリンクされた機能アイコン２０を選択したか否かの判断を行う。表示機能とリンクされた機能アイコン２０を選択した場合（ステップＳ２６のＹＥＳ）は、ステップＳ４１に移行する。表示機能とリンクされた機能アイコン２０を選択しなかった場合（ステップＳ２６のＮＯ）は、ステップＳ２７に移行する。
【００７９】
ステップＳ４１では、図６（Ｉ）を参照して、スケジュールの詳細を編集するための画面を表示させる。ステップＳ４２では、必要に応じてスケジュールの内容の編集を行う。
【００８０】
ステップＳ４３では、「完了」機能とリンクされた機能アイコン２０を選択したか否かの判断を行う。「完了」機能とリンクされた機能アイコン２０が選択された場合（ステップＳ４３のＹＥＳ）は、ステップＳ４４に移行して、スケジュールの登録を行い、ＥＮＤに至る。即ち、図６（Ｌ）に示すように、待ち受け画面が表示される。そして、「完了」機能とリンクされた機能アイコン２０が選択されない場合（ステップＳ４３のＮＯ）では、ステップＳ４１に移行して、連続して編集画面を表示させる。
【００８１】
ステップＳ２７では、「新規」機能とリンクされた機能アイコン２０が選択されたか否かの判断を行う。ここで、「新規」機能とは、新規にスケジュールの登録を行う機能である。「新規」機能とリンクされた機能アイコン２０が選択された場合（ステップＳ２７のＹＥＳ）は、ステップＳ２８に移行する。「新規」機能とリンクされた機能アイコン２０が選択されない場合は、ステップＳ２５に移行する。
【００８２】
ステップＳ２８では、新規登録画面の表示を行う。そして、ステップＳ２９では、新たなスケジュールの編集を行う。即ち、現時点で登録されているスケジュールに加えて、新たにスケジュールを作成する。
【００８３】
ステップＳ３０では、「完了」機能とリンクされた機能アイコン２０が選択されたか否かの判断を行う。「完了」機能とリンクされた機能アイコン２０が選択された場合（ステップＳ３０のＹＥＳ）は、ステップＳ４４に移行して、スケジュール登録を行った後に、ＥＮＤに至る。「完了」機能とリンクされた機能アイコン２０が選択されていない場合（ステップＳ３０のＮＯ）は、ステップＳ２８に移行する。
【００８４】
図７を参照して、メールを閲覧する機能からスケジュールの登録を行う動作を説明する。図７（Ａ）は、メールを閲覧する機能からスケジュールの登録を行う動作を説明するフローチャートであり、図７（Ｂ）および図７（Ｃ）は各ステップでの表示部１７の状態を示す図である。
【００８５】
ステップＳ５０では、メール閲覧の機能を呼び出して表示部１７にメールを表示させる。図７（Ｂ）を参照して、表示部１７には、電子メールか格納されているトレイ、受信または発信した時間、発信者名、題目、および、メールの内容が表示されている。そして、スケジュール機能の呼び出しにリンクされたアイコンを選択することにより、スケジュール機能の呼び出しを行う。また、受信した電子メールに代替して、発信したメールでも良い。
【００８６】
ステップＳ５１では、「スケジュール作成」の機能を選択したか否かの判断を行う。ここでは、図７（Ｂ）に示される「サブメニュー」の機能アイコン２０を選択し、サブメニューとして表示される項目の中から、「スケジュール作成」の項目を選択することにより、「スケジュール作成」の機能を選択することができる。また、図７（Ｂ）に示す表示部１７に、「スケジュール作成」の機能とリンクされた機能アイコン２０を表示させても良い。「スケジュール作成」の機能が選択された場合（ステップＳ５１のＹＥＳ）は、ステップＳ５２に移行する。「スケジュール作成」の機能が選択されなかった場合（ステップＳ５１のＮＯ）は、ステップＳ５０に戻る。
【００８７】
ステップＳ５２では、図７（Ｃ）を参照して、スケジュールの編集を行なう。ここでは、電子メールに含まれる情報が、このスケジュールに取り込まれている。
【００８８】
上記した電子メールに画像が添付されていた場合は、その添付された画像がこのスケジュールの画像として取り込まれる。また、上記した電子メールに画像が添付されていない場合は、上記した電子メールのアドレスに関連づけられた画像が、このスケジュールの画像として取り込まれる。そして、電子メールに画像が添付されておらず、且つ、電子メールのアドレスに関連づけられた画像が無い場合は、このスケジュールの画像は「無し」になる。
【００８９】
また、電子メールの題名およびメール本文は、このスケジュールの内容として取り込まれている。図７（Ｃ）を参照して、本文には、送迎会を２１日の５時に行うことが記してある。従って、使用者が、取り込まれた電子メールの日時とは異なる日時を、スケジュールの日時として入力する場合がある。この場合は、取り込まれたスケジュールの内容を参照しつつ、スケジュールの時間を変更することができる。
【００９０】
更に詳細を説明すると、ここでは、日時データとして「メールを受信した年月日および時刻」を、分類として「予定」を、アラームとして「ＯＦＦ」を、画像として「メールに添付された画像、または、メール発信者に対応する画像」を、シークレットとして「ＯＦＦ」を、内容として「メールのタイトル、および、メールの本文」を設定したものをスケジュール登録する。
【００９１】
ステップＳ５３では、「完了」機能が選択されたか否かの判断を行う。「完了」機能の選択は、図７（Ｃ）を参照して、「完了」機能とリンクされた機能アイコン２０を選択することにより行うことができる。「完了」機能が選択された場合（ステップＳ５３のＹＥＳ）は、スケジュールへの登録を行い、ＥＮＤに至る。「完了」機能が選択されない場合（ステップＳ５３のＮＯ）は、ステップＳ５２に戻る。
【００９２】
図８から図１１を参照して、メールに含まれる情報をスケジュール機能に取り込む他の方法を説明する。図７を参照した上記の説明では、手動により、メールに含まれる情報を用いたスケジュールの登録を行った。下記では、この情報の取り込みを自動化または省力化して行う方法を説明する。図８はスケジュールの登録方法を説明するフローチャートである。
【００９３】
ステップＳ６０では、先ず、メールを受信する。一回の交信で１つのメールを受信した場合は、この１つのメールに対して下記のステップを行う。一回の交信で複数個のメールを受信した場合は、各々のメールについて下記ステップを行う。
【００９４】
ステップＳ６１では、上記ステップで受信したメールが使用者により開封されたか否かの判断を行う。開封された場合（ステップＳ６1のＹＥＳ）は、ステップＳ６３に移行して、携帯電話の表示部にメールの内容を表示させる。このステップでの表示部の状態を図９（Ａ）に示している。また、受信したメールが所定時間内に開封されない場合（ステップＳ６１のＮＯ）は、ステップＳ６２に移行する。
【００９５】
ステップＳ６２では、自動スケジュール登録が設定されているか否かの判断を行う。ここで、自動スケジュール登録とは、使用者がメールを開封せずとも、自動的にメールの内容をスケジュールに取り込む機能を指す。このことにより、基本的には使用者のメールに関する操作なしで、メールに含まれる情報を用いてスケジュール登録を行うことが出来る。
【００９６】
ステップＳ６４からステップＳ７１までの処理は、受信したメールがスケジュールとして登録されるものかどうかを解析するための処理ブロックである。概念的に、この処理ブロックでは、受信したメールが所定のキーワードを含んでいるか否かで、メールを用いて登録を行うか否かの判断を行っている。
【００９７】
図１０を参照して、このキーワードの詳細を説明する。図１０（Ａ）は各キーワードに関連づけられて設定された項目等を示す表であり、図１０（Ｂ）は項目の優先順位を示す表である。
【００９８】
図１０（Ａ）を参照して、本形態では、複数のキーワードが設定され、記憶部に記憶されている。同図では４つのキーワードが表示されているがその個数は任意に変化させることができる。
【００９９】
例えば、各番号Ｎｏ．１、Ｎｏ．２、Ｎｏ．３・・・はそれぞれ相違する記憶領域と成っており、各番号毎にレコード単位でその情報が記憶されている。そして、各レコードは、番号、キーワード、項目１、項目２、項目３、分類、シークレットの各フィールドから構成されている。更に、他のスケジュール登録情報をフィールドとして設けても良い。また、各キーワードおよびそれに付随する項目等のフィールドは、使用者が入力することにより設定しても良いし、携帯電話出荷時に予め設定されても良い。
【０１００】
図１０（Ｂ）を参照して、ここでは、各項目の優先順位が決められている。このように予め優先順位を決定していることで、複数個のキーワードがメールの内容と一致した際に、重要度の高い項目と一致したキーワードのフィールドを採用することが出来る。
【０１０１】
また、この優先順位は項目同士についても設定することができる。即ち、一つのキーワードが複数の項目と一致している際は、優先順位が高い方の項目を、そのキーワードが一致した項目として採用する。以下の説明では、数の小さい方の項目が、数の大きい方の項目よりも優先順位が大きいものと仮定して説明を行う。即ち、項目１の優先順位が一番高いこととなる。
【０１０２】
以下にて、受信したメールの内容とキーワードとの比較方法を詳述する。
【０１０３】
ステップＳ６４では、最初のキーワードとメールとの比較を行う。具体的には、図１０（Ａ）を参照して、Ｎｏ．１のキーワードである「案内」に付いて、メールの項目との比較を行う。ここでは、項目１としてメールの「題名」が設定されているので、キーワード「案内」と、メールの題目との比較を行う。メールの題目に「案内」が含まれている場合（ステップＳ６７のＹＥＳ）は、ステップＳ７２に移行して、一致したキーワードを一致キーワードとしている。ここで、「一致キーワード」とは、メールの内容と一致しているキーワードとして暫定的に選択されているものである。キーワードと項目とが一致しない場合（ステップＳ６４のＮＯ）はステップＳ６５に移行する。
【０１０４】
ステップＳ７３では、次のキーワードが有るか否かの判断を行い、次のキーワードが有る場合（ステップＳ７３のＹＥＳ）は、ステップＳ６７に移行して、そのキーワードを用いたメールの解析を行う。次のキーワードが無い場合（ステップＳ７３のＮＯ）は、１つのみのキーワードが設定され、そのキーワードの検索が終了したことになるので、ステップＳ７４に移行する。
【０１０５】
ステップＳ６５では、次の項目があるか否かの判断を行い、次の項目が有る場合（ステップＳ６５のＹＥＳ）は、ステップＳ６４に戻って、その項目とキーワードとの比較を行う。他の項目が無かった場合（ステップＳ６５のＮＯ）、ステップＳ６６に移行する。上述したように、本形態では、項目の番号は優先順位を示しており、更に、優先順位の高い方から比較を行っている。従って、項目とキーワードとが一致した時点で、その項目がそのキーワードと一致した項目となる。そして、そのキーワードと項目との比較を終了する。
【０１０６】
ステップＳ６６では、次のキーワードは有るか否かの判断を行う。次のキーワードが無い場合（ステップＳ６６のＮＯ）は、ＥＮＤに至る。この場合は、設定されているキーワードが一つのみであり、そのキーワードが項目と一致していない場合である。次のキーワードが有る場合（ステップＳ６６のＹＥＳ）は、ステップＳ６７に移行して、次のキーワードとメールの項目との比較をおこなう。ステップＳ６７およびステップＳ６８の詳細は、上述したステップＳ６４およびステップＳ６５と同様である。図１０を用いて説明すると、Ｎｏ．２のキーワードである「特許次郎」と各項目との比較を行う。キーワードがどの項目とも一致しなかった場合（ステップＳ６７およびステップＳ６８のＮＯ）は、ステップＳ７１に移行する。
【０１０７】
ステップＳ６９では、ステップＳ６７にてキーワードがいずれかの項目と一致した場合（ステップＳ６７のＹＥＳ）において、上記一致キーワードとステップＳ６７にて一致したキーワードとの優先順位の比較をおこなう。このステップの詳細を図１０を参照して説明する。ここで、Ｎｏ．１のキーワードである「案内」は項目２の「本文」と一致したと仮定する。そして、Ｎｏ．２のキーワードである「特許次郎」は発信元と一致したと仮定する。そうすると本ステップでは、図１０（Ｂ）の表に基づいて、Ｎｏ．１のキーワードである「案内」と、Ｎｏ．２のキーワードである「特許次郎」との優先順位の比較をおこなう。ここでは、「案内」が一致した項目である「本文」と、「特許次郎」が一致した項目である「発信元」との優先順位を比較する。図１０（Ｂ）では、「発信元」の優先順位の方が「本文」の優先順位よりも高いので、「特許次郎」は「案内」よりも優先順位が高いこととなる。このことから、上記のような条件ではステップＳ６９はＹＥＳとなり、ステップＳ７０に移行して、一致キーワードを入れ替える。即ち、本ステップ以降では、一致キーワードは「特許次郎」となる。
【０１０８】
尚、一致した項目の優先順位が一致キーワードの優先順位よりも低い場合（ステップＳ６９のＹＥＳ）は、一致キーワードの入れ替えを行わずに、ステップＳ７１に移行する。このように、一致キーワードとの優先順位を比較しつつ検索を行うことにより、優先順位の高いキーワードの選択を行うことが出来る。更に、全てのキーワード毎の検索を行った後に、キーワード同士の優先順位の比較を行うことも可能である。
【０１０９】
更にまた、キーワード自身に優先順位を設けることも可能である。即ち、使用者がキーワードの設定を行う際に、そのキーワードの優先順位を予め決定することで、使用者が重要と認定するキーワードを優先させることができる。そして、このような場合においては、上記した項目毎の優先順位の設定を省くことができる。
【０１１０】
ステップＳ７１では、次のキーワードがあるか否かの判断を行い、次のキーワードが有る場合（ステップＳ７１のＹＥＳ）は、ステップＳ６７に戻ってキーワードの検索を行う。次のキーワードが無い場合（ステップＳ７1のＮＯ）は、ステップステップＳ７４に移行する。ここで、「次のキーワードが無い場合」とは、全てのキーワードに付いて検索を終了した場合である。
【０１１１】
ステップ７４では、確認登録モードであるか否かの判断を行う。本形態で、確認登録モードとは、メールを用いて自動的に登録を行う際に、使用者の判断を求めるモードである。また、使用者の判断を求めずに自動的に登録を行うモードを、自動登録モードとする。確認登録モードである場合（ステップＳ７４のＹＥＳ）は、確認要求の表示を行う。確認登録モードでない場合（ステップＳ７４のＮＯ）は、自動登録モードであると解して、ステップＳ７７に移行してスケジュールの登録を行う。
【０１１２】
続いて、ステップＳ７５にて確認要求の表示を行い、ステップＳ７６にて登録を行うか否かの判断を行う。具体的に、ステップＳ７５での状態の表示部を図９（Ｂ）に示している。「はい」を選択すること（ステップＳ７６のＹＥＳ）により、ステップＳ７７にてスケジュールの登録を行う。「いいえ」を選択すること（ステップＳ７６のＮＯ）により、スケジュールの登録は行わずに、ステップＳ６３のメール表示状態に戻る。
【０１１３】
ステップＳ７８では、前ステップにて新たに登録を行ったスケジュールの確認するか否かの判断を行う。このステップでの表示部の状態を図９（Ｅ）に示している。スケジュールの確認を行う場合（ステップＳ７８のＹＥＳ）は、ステップＳ７９に移行する。スケジュールの登録を行わない場合（ステップＳ７８のＮＯ）は、ステップＳ６３のメールを表示する状態に戻る。
【０１１４】
ステップＳ７９では、上記ステップにて登録を行ったスケジュールを表示部に表示する。この状態を図９（Ｇ）に示している。ここでは、メールを受信した日時がスケジュールの日時として登録されている。そして、分類、アラームおよびシークレットについては、キーワードに対応して設定された通りに入力される。また、受信したメールに添付ファイルが有った場合は、そのファイルをスケジュールのファイルとうする。更に、連絡先については、メールの発信元を連絡先とする。
【０１１５】
ステップ８０では、図９（Ｆ）を参照して、表示されているスケジュールの修正を行う。スケジュールの内容には、受信したメールが表示されているの。従って、その内容を参照しつつ、日時等の修正を行うことができる。そして、確認キーを選択することにより、ステップＳ７９に戻ることが出来る。
【０１１６】
図１１を参照して、上記のステップにて登録されたスケジュールの閲覧方法の一例を説明する。図１１（Ａ）はある日のスケジュールを表示している表示部の状態であり、図１１（Ｂ）は、スケジュールの１つとリンクされたメールを表示している表示部の状態である。
【０１１７】
図１１（Ａ）を参照して、携帯電話の表示部の最上部はピクト表示エリアと成っている。ピクト表示エリアの下方には、一日の時間を棒グラフ状に示した時間表示エリアと成っている。時間表示エリアの下方には、受信したメールを用いて登録を行ったスケジュールを表示する第１スケジュール表示エリアと成っている。第１スケジュール表示エリアの下方は、使用者が手動で入力を行った情報が表示される第２スケジュール表示エリアと成っている。
【０１１８】
第１スケジュール表示エリアでは、スケジュールの取り込みに用いられたメールの、最初の数文字が行単位で表示されている。表示される文字は、メールの題名の一部分でも良いし、メールの本文の一部分でも良い。各行の文字は、各々の基となるメールとリンクされている。そして、この文字を選択することにより、基となるメールを全文表示させることができる。
【０１１９】
第２スケジュール表示エリアでは、使用者の操作により入力されたスケジュールが上下方向に時系列に表示されている。また、この第２スケジュール表示エリアに、第１スケジュール表示エリアにて暫定的に選択されているスケジュールとリンクされたメールの本文を表示させても良い。
【０１２０】
図１１（Ｂ）を参照して、第１表示エリアにて暫定的に選択されているスケジュールを選択することにより、そのスケジュールとリンクされているメールの内容が表示部に表示される。この選択は、決定キーを選択することにより行うことが出来る。このことにより、スケジュールとリンクされたメールの全文を表示させることが出来るので、スケジュールの詳細を使用者は容易に確認することが出来る。
【０１２１】
図１２を参照して、電話機能の着信履歴からスケジュールの登録を行う動作を説明する。図１２（Ａ）は、着信履歴からスケジュールの登録を行う動作を説明するフローチャートであり、図１２（Ｂ）および図１２（Ｃ）は各ステップでの表示部１７の状態を示す図である。
【０１２２】
ステップＳ５４では、着信履歴を呼び出す機能を操作することにより、着信履歴を表示部１７に表示させる。図１２（Ｂ）では、着信履歴を表示部１７に表示した状態を示している。ここでは1)から3)の３つの着信履歴が表示されている。また、着信履歴に替えて、発信履歴を表示させても良い。
【０１２３】
ステップＳ５５では、「スケジュール作成」の機能を選択したか否かの判断を行う。このステップの詳細は、上記ステップＳ５１と同様なので、その詳述は割愛する。「スケジュール作成」の機能が選択された場合（ステップＳ５５のＹＥＳ）は、ステップＳ５６に移行する。「スケジュール作成」の機能が選択されなかった場合（ステップＳ５５のＮＯ）は、ステップＳ５４に戻る。
【０１２４】
ステップＳ５６では、図１２（Ｃ）を参照して、スケジュールの編集を行なう。ここでは、着信履歴に含まれる情報が、このスケジュールに取り込まれている。具体的には、日時データとして「電話を着信した年月日および時刻」を、分類として「予定」を、アラームとして「ＯＦＦ」を、画像として「発信者に対応する画像」を、シークレットとして「ＯＦＦ」を、内容として「使用者が入力した文字」を設定したものをスケジュール登録する。
【０１２５】
ステップＳ５７では、「完了」機能が選択されたか否かの判断を行う。このステップの詳細は、上述したステップＳ５３と同様である。「完了」機能が選択された場合（ステップＳ５７のＹＥＳ）は、スケジュールへの登録を行い、ＥＮＤに至る。「完了」機能が選択されない場合（ステップＳ５７のＮＯ）は、ステップＳ５６に戻る。
【０１２６】
図１３を参照して、画像を閲覧する機能からスケジュールの登録を行う動作を説明する。図１３（Ａ）は、画像を閲覧する機能からスケジュールの登録を行う動作を説明するフローチャートであり、図１３（Ｂ）および図１３（Ｃ）は各ステップでの表示部１７の状態を示す図である。
【０１２７】
ステップＳ９０では、図１３（Ｂ）を参照して、画像を表示部１７に表示する。ここでは、１つの画像を表示部１７に表示しているが、複数の画像またはサムネイル画像を表示部１７に表示した状態でも良い。
【０１２８】
ステップＳ９１では、「スケジュール作成」の機能を選択したか否かの判断を行う。このステップの詳細は、上記ステップＳ５１と同様なので、その詳述は割愛する。「スケジュール作成」の機能が選択された場合（ステップＳ９１のＹＥＳ）は、ステップＳ６０に移行する。「スケジュール作成」の機能が選択されなかった場合（ステップＳ９１のＮＯ）は、ステップＳ５８に戻る。
【０１２９】
ステップＳ９２では、図１３（Ｃ）を参照して、スケジュールの編集を行う。ここでは、表示された画像に含まれる情報が、このスケジュールに取り込まれている。具体的には、日時データとして「画像が撮影された年月日および時刻」を、分類として「予定」を、アラームとして「ＯＦＦ」を、画像として「表示された画像」を、シークレットとして「ＯＦＦ」を、内容として「使用者が入力した文字」を設定したものをスケジュール登録する。従って、画像の撮影を行って、直ちに、その画像をスケジュールに登録して、その時の状態などを内容に記録することができる。
【０１３０】
ステップＳ９３では、「完了」機能が選択されたか否かの判断を行う。このステップの詳細は、上述したステップＳ５３と同様である。「完了」機能が選択された場合（ステップＳ９３のＹＥＳ）は、スケジュールへの登録を行い、ＥＮＤに至る。「完了」機能が選択されない場合（ステップＳ９３のＮＯ）は、ステップＳ６０に戻る。
【図面の簡単な説明】
【０１３１】
【図１】本発明の一実施の形態である携帯電話機の（Ａ）開いた状態での内側（キー面）から見た概観図、（Ｂ）閉じた状態での外側から見た概観図、（Ｃ）閉じた状態での外側から見た概観図である。
【図２】同携帯電話機の電気的構成を説明する概略機能ブロック図である。
【図３】同携帯電話機のシーケンスを説明するフローチャートである。
【図４】同携帯電話機のシーケンスを説明するフローチャートである。
【図５】図３に示したフローチャートの各ステップに於ける表示部の状態を示す図（Ａ）−（Ｉ）である。
【図６】図４に示したフローチャートの各ステップに於ける表示部の状態を示す図（Ａ）−（Ｌ）である。
【図７】同携帯電話機のシーケンスを説明するフローチャート（Ａ）、表示部の状態を示す図（Ｂ）、表示部の状態を示す図（Ｃ）である。
【図８】同携帯電話機のシーケンスを説明するフローチャートである。
【図９】図８に示したフローチャートの各ステップに於ける表示部の状態を示す図（Ａ）−（Ｇ）である。
【図１０】図８に示したフローチャートで用いるキーワードの詳細を示す表（Ａ）、項目の優先順位を示す表（Ｂ）である。
【図１１】図８に示したフローチャートによる方法で登録したスケジュールを閲覧した状態を示す図（Ａ）および（Ｂ）である。
【図１２】同携帯電話機のシーケンスを説明するフローチャート（Ａ）、表示部の状態を示す図（Ｂ）、表示部の状態を示す図（Ｃ）である。
【図１３】同携帯電話機のシーケンスを説明するフローチャート（Ａ）、表示部の状態を示す図（Ｂ）、表示部の状態を示す図（Ｃ）である。
【符号の説明】
【０１３２】
１          カメラ付携帯電話機
２          スピーカー
３          マイク
４          背面キー
１１          制御部
１２          撮像部
１３          画像処理部
１４          メモリ
１６          表示ドライバ部
１７          表示部
２０          バックライト
１８          キー操作部
２４          アンテナ
２５          無線部
２６          通信制御部
３０          サムネイル画像
【図１】
2005037359.tif 000003
【図２】
2005037359.tif 000004
【図３】
2005037359.tif 000005
【図４】
2005037359.tif 000006
【図５】
2005037359.tif 000007
【図６】
2005037359.tif 000008
【図７】
2005037359.tif 000009
【図８】
2005037359.tif 000010
【図９】
2005037359.tif 000011
【図１０】
2005037359.tif 000012
【図１１】
2005037359.tif 000013
【図１２】
2005037359.tif 000014
【図１３】
2005037359.tif 000015